(57)【特許請求の範囲】
【請求項１】
端末装置を操作するユーザを特定し、当該端末装置から商品購入の注文を受け付ける情報処理装置であって、
紹介者となる前記ユーザの注文が確定すると、当該紹介者及び被紹介者の両方に所定の特典を付与するための電子クーポンを発行する発行手段と、
前記紹介者を識別する第１識別子と、前記電子クーポンを識別する第２識別子と、前記被紹介者に係る条件を示した適用条件とを関連付けて管理する管理手段と、
前記紹介者が操作する前記端末装置に、前記第２識別子と前記適用条件とを含んだ紹介情報を送信する送信手段と、
前記紹介者から前記被紹介者に提供された前記第２識別子が、当該被紹介者が操作する前記端末装置から入力されたことを受け付けると、当該被紹介者に係る条件が前記第２識別子に関連付けられた前記適用条件を満たすか否かを判定する判定手段と、
前記判定手段が前記適用条件を満たすと判定した場合に、前記第２識別子の前記電子クーポンに対応する特典を付与する特典付与手段と、
を備える情報処理装置。
【請求項２】
前記管理手段は、注文の確定を前記適用条件として管理し、
前記判定手段は、前記被紹介者の注文が確定した場合に、前記適用条件を満たすと判定する請求項１に記載の情報処理装置。
【請求項３】
前記管理手段は、特定の日時迄に注文が確定することを前記適用条件として管理し、
前記判定手段は、前記特定の日時迄に前記被紹介者の注文が確定した場合に、前記適用条件を満たすと判定する請求項２に記載の情報処理装置。
【請求項４】
前記管理手段は、特定のエリアに住所を有することを前記適用条件として管理し、
前記判定手段は、前記被紹介者から入力された住所が前記特定のエリアに含まれる場合に、前記適用条件を満たすと判定する請求項１〜３の何れか一項に記載の情報処理装置。
【請求項５】
前記発行手段は、前記紹介者が注文した商品又は当該商品の支払金額に応じて、発行する前記電子クーポンの特典内容を切り替える請求項１〜４の何れか一項に記載の情報処理装置。
【請求項６】
端末装置を操作するユーザを特定し、当該端末装置から商品購入の注文を受け付ける情報処理装置のコンピュータを、
紹介者となる前記ユーザの注文が確定すると、当該紹介者及び被紹介者の両方に所定の特典を付与するための電子クーポンを発行する発行手段と、
前記紹介者を識別する第１識別子と、前記電子クーポンを識別する第２識別子と、前記被紹介者に係る条件を示した適用条件とを関連付けて管理する管理手段と、
前記紹介者が操作する前記端末装置に、前記第２識別子と前記適用条件とを含んだ紹介情報を送信する送信手段と、
前記紹介者から前記被紹介者に提供された前記第２識別子が、当該被紹介者が操作する前記端末装置から入力されたことを受け付けると、当該被紹介者に係る条件が前記第２識別子に関連付けられた前記適用条件を満たすか否かを判定する判定手段と、
前記判定手段が前記適用条件を満たすと判定した場合に、前記第２識別子の前記電子クーポンに対応する特典を付与する特典付与手段と、
して機能させるためのプログラム。
【発明の詳細な説明】
【技術分野】
【０００１】
本発明の実施形態は、情報処理装置及びプログラムに関する。
【背景技術】
【０００２】
近年のネットワークの普及により、インターネットを介して商品の販売を行う販売方式（ＥＣ：Electronic  Commerce）が盛んに行われている。また、スーパーマーケット等の店舗においても、店舗内で販売している商品を、インターネットを介して販売する所謂ネットスーパーと呼ばれる販売方式が行われている。このようなネットスーパーでは、事前に会員登録を行ったユーザ（以下、会員という）に、上記の販売方式を提供している。
【０００３】
上記の従来技術では、登録された会員数が多いほどネットスーパーを利用する機会も増えるため、売り上げの向上を見込むことができる。また、ユーザ間での口コミが、新規会員の登録やネットスーパーの利用回数に影響することが分かっている。このような背景において、ネットスーパーの利用促進を図ることが可能な技術が要求されている。
【発明の概要】
【発明が解決しようとする課題】
【０００４】
本発明が解決しようとする課題は、ネットスーパーの利用促進を図ることが可能な情報処理装置及びプログラムを提供することである。
【課題を解決するための手段】
【０００５】
実施形態の情報処理装置は、端末装置を操作するユーザを特定し、当該端末装置から商品購入の注文を受け付ける情報処理装置であって、発行手段と、管理手段と、送信手段と、判定手段と、特典付与手段とを備える。発行手段は、紹介者となる前記ユーザの注文が確定すると、当該紹介者及び被紹介者の両方に所定の特典を付与するための電子クーポンを発行する。管理手段は、前記紹介者を識別する第１識別子と、前記電子クーポンを識別する第２識別子と、前記被紹介者に係る条件を示した適用条件とを関連付けて管理する。送信手段は、前記紹介者が操作する前記端末装置に、前記第２識別子と前記適用条件とを含んだ紹介情報を送信する。判定手段は、前記紹介者から前記被紹介者に提供された前記第２識別子が、当該被紹介者が操作する前記端末装置から入力されたことを受け付けると、当該被紹介者に係る条件が前記第２識別子に関連付けられた前記適用条件を満たすか否かを判定する。特典付与手段は、前記判定手段が前記適用条件を満たすと判定した場合に、前記第２識別子の前記電子クーポンに対応する特典を付与する。
【図面の簡単な説明】
【０００６】
【図１】図１は、実施形態に係る販売システムの構成を概略的に示す図である。
【図２】図２は、図１に示したネットスーパーサーバの構成を示す図である。
【図３】図３は、図２に示した会員管理ファイルの一例を模式的に示す図である。
【図４】図４は、図２に示した注文管理ファイルの一例を模式的に示す図である。
【図５】図５は、図２に示した配送便管理ファイルの一例を模式的に示す図である。
【図６】図６は、商品購入ページの一例を示す図である。
【図７】図７は、配送日時指定ページの一例を示す図である。
【図８】図８は、実施形態のネットスーパーサーバが実行する第１情報処理の流れを示すフローチャートである。
【図９】図９は、紹介情報の一例を示す図である。
【図１０】図１０は、実施形態のネットスーパーサーバが実行する第２情報処理の流れを示すフローチャートである。
【発明を実施するための形態】
【０００７】
以下、添付図面を参照して、実施形態に係る情報処理装置及びプログラムの実施形態を詳細に説明する。なお、以下に説明する実施の形態によりこの発明が限定されるものではない。
【０００８】
図１は、販売システム１の構成を概略的に示す図である。図１に示すように、販売システム１は、複数台のＰＯＳ（Point  Of  Sales：販売時点管理）端末２および各ＰＯＳ端末２をＬＡＮ３によって接続して集中管理する店舗サーバ４を備えるＰＯＳシステム７と、専用回線８を介して店舗サーバ４を接続する本部サーバ９と、を備えている。
【０００９】
ＰＯＳシステム７および本部サーバ９について簡単に説明する。店舗サーバ４は、店舗で販売される各種の商品情報を格納する商品マスタファイルを有してＰＯＳシステム７全体の制御を受け持つものであり、キーボード、表示器、プリンタ及びハードディスクドライブ装置などが接続されている（何れも図示せず）。
【００１０】
ＰＯＳ端末２は、ユニークなレジナンバーを割り振られて精算場所に配設されており、キャッシャが売上処理を行うための端末である。ＰＯＳ端末２は、キーボード、ドロワ、表示器、カードリーダ／ライタ、コードスキャナ等が接続されている。ＰＯＳ端末２は、コードスキャナによりバーコードや二次元コード等の形態で各商品に付加された商品コードを読み取ると、この商品コードを店舗サーバ４に通知することで商品の問い合わせを行う。店舗サーバ４は、ＰＯＳ端末２からの問い合わせに応じて商品マスタファイルを検索し、該当する商品コードに対応した商品情報を読み出してＰＯＳ端末２へ送信する。ＰＯＳ端末２は、店舗サーバ４から対応する商品の単価等を取得する。また、ＰＯＳ端末２は、購入対象となった商品の単価及び販売個数に基づき、これら商品の総額を算出し精算等の処理を行って売上データを生成した後、当該売上データを所定のタイミングで店舗サーバ４に送信する。
【００１１】
本部サーバ９は、ＣＰＵ（Central  Processing  Unit）、ＲＯＭ（Read  Only  Memory）、ＲＡＭ（Random  Access  Memory）等で構成されるコンピュータ構成の制御部（図示せず）を備えており、各店舗の店舗サーバ４から送信される売上データを管理したり、各店舗の店舗サーバ４に対して商品マスタファイルを送信したりする。
【００１２】
また、販売システム１は、図１に示すようにネットスーパーサーバ６を備えている。ネットスーパーサーバ６は、ネットワーク５を介して顧客端末１０から接続可能である。
【００１３】
ネットスーパーサーバ６は、ＰＯＳシステム７が設置された店舗内で販売されている商品を、インターネット等のネットワーク５を介して販売するネットスーパーサービスを提供するためのサーバ装置である。ネットスーパーサーバ６は、例えば図２に示すような電装系を備えている。
【００１４】
図２は、ネットスーパーサーバ６の構成を示す図である。図２に示すように、ネットスーパーサーバ６は、ＣＰＵ、ＲＯＭ、ＲＡＭ等で構成されるコンピュータ構成の制御部２１と、バス２２と、第１通信インタフェース２３１と、第２通信インタフェース２３２と、Ｉ／Ｏ機器制御部２４とを備える。
【００１５】
制御部２１は、第１通信インタフェース２３１を介して、ＬＡＮ３に接続された各装置と通信を実行し得るように構成される。また、制御部２１は、第２通信インタフェース２３２を介して、ネットワーク５に接続された顧客端末１０と通信を実行し得るように構成される。また、制御部２１には、バス２２及びＩ／Ｏ機器制御部２４を介して、操作入力部２５、表示部２６、記憶部２７が接続されている。
【００１６】
記憶部２７は、ＨＤＤやフラッシュメモリ等の記憶デバイスであって、制御部２１が実行する各種プログラム（例えば、Ｗｅｂアプリケーション、データベースプログラム等）や当該プログラムの実行に係る各種設定情報を記憶する。制御部２１は、記憶部２７に記憶された所定のプログラムとの協働することで、顧客端末１０に対しネットスーパーサービスを提供する。また、制御部２１は、記憶部２７に記憶された所定のプログラムとの協働することで各種の機能部（発行手段２１１、管理手段２１２、送信手段２１３、判定手段２１４及び特典付与手段２１５等）を実現し、各種の情報処理等を実行する。
【００１７】
また、記憶部２７は、ネットスーパーサービスを提供するために必要なデータとして、会員管理ファイル２７１、注文管理ファイル２７２及び配送便管理ファイル２７３等を記憶している。
【００１８】
会員管理ファイル２７１は、ネットスーパーのユーザ（会員）に関する情報を管理するためのデータレーブルである。図３は、会員管理ファイル２７１の一例を模式的に示す図である。図３に示すように、会員管理ファイル２７１には、会員ＩＤ、氏名、住所、メールアドレス、クーポンＩＤ及び適用条件等を関連付けたレコードが保持されている。
【００１９】
会員ＩＤは、各会員を識別するための識別子であって、会員毎に固有のＩＤが割り当てられる。氏名は、各会員の氏名である。住所は、各会員が配送先として予め登録した自宅等の住所である。メールアドレスは、各会員の電子メールにおける送信先を示すものである。クーポンＩＤは、注文確定時に発行される後述する電子クーポンを識別するための識別子である。また、適用条件は、電子クーポンが適用される条件を示すものである。
【００２０】
注文管理ファイル２７２は、注文が確定した商品のリスト（注文商品リスト）を、制御部２１によって管理（保持）するためのデータテーブルである。図４は、注文管理ファイル２７２の一例を模式的に示す図である。図４に示すように、注文管理ファイル２７２には、会員ＩＤ、便番号、箱番号、シーケンス番号、商品コード、商品名等を関連付けたレコードが保持されている。
【００２１】
ここで、会員ＩＤは、会員管理ファイル２７１の会員ＩＤに対応し、注文を行った会員の会員ＩＤが格納される。便番号は、商品の配送を行う配送便を識別するための識別子であって、便番号が同一の商品は同一の便で配送される。箱番号は、配送のために商品を収容する収容箱を識別するための識別子である。ネットスーパーにより購入（注文）された商品、即ち注文管理ファイル２７２に登録された商品コード（商品名）は、箱番号に示された収容箱に収容され、注文を行った顧客の元へ配送される。なお、各収容箱には、固有の箱番号がバーコードや二次元コード等のコードシンボルの形態で予め付与されているものとする。また、シーケンス番号は、便番号が同一の各商品に順次割り当てられる管理番号である。
【００２２】
配送便管理ファイル２７３は、各便番号に対応する配送日時を管理するためのデータテーブルである。図５は、配送便管理ファイル２７３の一例を示す模式図である。図５に示すように、配送便管理ファイル２７３は、便番号と関連付けて、配送日付、配送時刻、締切時刻等を保持している。
【００２３】
配送日付及び配送時刻は、商品を配送する日付とその時間帯とを表している。締切時刻は、対応する便番号での注文受け付けを締め切る時刻を表している。なお、制御部２１は、図示しないＲＴＣ（Real  Time  Clock）等の計時部で計時される現在日時に基づき、締切時刻を経過した配送便のレコードを配送便管理ファイル２７３から削除する。
【００２４】
図１に戻り、顧客端末１０は、ネットスーパーの顧客（会員）が操作するパーソナルコンピュータ（Personal  computer：ＰＣ）や携帯電話等の端末装置である。顧客端末１０は、ＣＰＵ、ＲＯＭ、ＲＡＭ等で構成される制御部、キーボードや各種ボタン等の入力デバイス、ＣＲＴやＬＣＤ等の表示デバイス、ＨＤＤやフラッシュメモリ等の記憶デバイス、ネットワーク５に接続可能な通信インタフェース等を備え（何れも図示せず）、記憶デバイスに記憶された所定のプログラム（例えば、Ｗｅｂブラウザ等）を制御部が実行することで各種の機能を実現する。
【００２５】
また、店舗には、注文商品リストに従って該当する商品を店舗内から収集した商品を顧客毎に仕分けるパッキング作業に用いるパッキング装置等が備えられている（図示せず）。
【００２６】
ここで、ネットスーパーで商品の購入（注文）が行われるまでの動作の一例について説明する。
【００２７】
まず、顧客端末１０の制御部（以下、単に顧客端末１０という）では、ユーザの操作に応じて、ネットスーパーサーバ６が提供するＥＣサイトのアドレス宛にアクセスを行う。ネットスーパーサーバ６の制御部（以下、単にネットスーパーサーバ６という）では、顧客端末１０からのアクセスを受け付けると、図示しない記憶部に記憶されたプログラム等に基づいて商品の販売を行うＥＣサイトの初期ページを生成し、顧客端末１０へ送信する。
【００２８】
顧客端末１０は、ネットスーパーサーバ６から提供された初期ページ（図示せず）を図示しない表示部に表示し、ユーザの操作入力を待機する。なお、顧客端末１０のユーザは、ネットスーパーサーバ６へのアクセス時に、会員ＩＤの入力を行うものとする。また、ネットスーパーサーバ６の制御部は、会員管理ファイル２７１に基づき、入力された会員ＩＤから顧客端末１０のユーザ（会員）を特定する。
【００２９】
顧客端末１０は、初期ページに表示された複数の商品カテゴリから、特定の商品カテゴリ（例えば、野菜）がユーザにより選択されたことを検知すると、この選択された商品カテゴリのカテゴリ名称又はカテゴリＩＤをネットスーパーサーバ６へ通知する。
【００３０】
ネットスーパーサーバ６の制御部２１は、顧客端末１０からカテゴリ名称又はカテゴリＩＤの選択通知を受け付けると、店舗サーバ４に記憶された商品マスタファイルを参照し、当該カテゴリ名称又はカテゴリＩＤに対応するレコードを読み出す。そして、ネットスーパーサーバ６の制御部２１は、読み出した各レコードに基づき、購入注文を受け付けるための商品購入ページを生成すると、顧客端末１０へ送信する。顧客端末１０は、ネットスーパーサーバ６から提供された商品購入ページを図示しない表示部に表示し、ユーザの操作入力を待機する。
【００３１】
図６は、商品購入ページの一例を示す図である。図６に示すように、商品購入ページは、商品マスタファイルから読み出された商品を購入するための購入画面Ｇ１を表示する。
【００３２】
顧客端末１０では、購入画面Ｇ１に設けられた購入ボタンＢ１の押下を、図示しないキーボードやマウス等を介して受け付ける毎に、対応する商品の商品コード、カテゴリ及びその購入数量を購入対象としてネットスーパーサーバ６へ通知する。そして、顧客端末１０は、商品選択が完了した旨の指示を図示しないキーボードやマウス等を介して受け付けると、この選択完了の旨をネットスーパーサーバ６へ通知する。
【００３３】
次いで、ネットスーパーサーバ６の制御部２１は、顧客端末１０から選択完了の旨の通知を受け付けると、配送日時の指定を受け付けるための配送日時指定ページを配送便管理ファイル２７３に基づいて生成し、顧客端末１０へ送信する。顧客端末１０は、ネットスーパーサーバ６から提供された配送日時指定ページを図示しない表示部に表示し、ユーザの操作入力を待機する。
【００３４】
図７は、配送日時指定ページの一例を示す図である。図７に示すように、配送日時指定ページの領域Ａ１には、配送便管理ファイル２７３に保持された各便番号に対応する配送日時が選択可能に構成される。顧客端末１０は、特定の配送日時が選択されたことを図示しないキーボードやマウス等を介して受け付けると、この選択された配送日時をネットスーパーサーバ６へ通知する。
【００３５】
ネットスーパーサーバ６の制御部２１は、顧客端末１０から配送日時の通知を受け付けると、注文を行ったユーザ（会員）の住所と、この配送日時に対応する便番号に対して、購入対象として通知された各商品の商品コードなどを関連付けた注文商品リストを生成する。
【００３６】
また、ネットスーパーサーバ６の制御部２１は、当該注文商品リストに含まれた便番号及び商品コードを、図４に示したレコード形式で注文管理ファイル２７２に順次格納する。なお、箱番号については、注文商品リスト及び当該注文商品リストに含まれた商品の種別や数量に応じて、商品毎に割り当てを行うものとする。また、シーケンス番号は、同一の便番号について注文管理ファイル２７２への格納順に割り当てを行うものとする。
【００３７】
その後、ＰＯＳシステム７では、配送便管理ファイル２７３に基づき、配送便の締切時間までに注文を受け付けた商品を店舗内からピックアップし、トラック等の配送便によって会員宅へと配送している。
【００３８】
また、本実施形態のネットスーパーサーバ６では、ネットスーパーの利用促進を図るため、注文が確定した会員以外の他のユーザ（会員）からのアクセスを促すための処理を実行する。以下、ネットスーパーサーバ６が実行する処理について説明する。
【００３９】
ネットスーパーサーバ６の制御部２１は、記憶部２７に記憶されたプログラムとの協働により、図２に示した各種の機能部（発行手段２１１、管理手段２１２、送信手段２１３、判定手段２１４及び特典付与手段２１５等）を実現し、第１情報処理及び第２情報処理の一部を実行する。
【００４０】
ここで、図８は、ネットスーパーサーバ６が実行する第１情報処理の流れを示すフローチャートである。なお、本処理は、上述した商品の注文受け付け動作（ネットスーパーサービス）のバックグラウンドで行われるものである。
【００４１】
まず、制御部２１は、商品の注文が確定するまで待機する（ステップＳ１１；Ｎｏ）。商品の注文が確定すると（ステップＳ１１；Ｙｅｓ）、制御部２１（発行手段２１１）は、この注文を行った会員（会員ＩＤ）に対し電子クーポンを発行する（ステップＳ１２）。次いで、制御部２１（管理手段２１２）は、ステップＳ１２で発行した電子クーポンを、注文を行った会員の会員ＩＤに関連付けて管理する（ステップＳ１３）。具体的に、制御部２１（管理手段）は、会員管理ファイル２７１に登録せれた対応する会員ＩＤのレコードに基づき、発行した電子クーポンのクーポンＩＤをクーポンＩＤ欄に設定するとともに、その適用条件を適用条件欄に設定する。そして、制御部２１（送信手段２１３）は、電子クーポンと適用条件とを含んだ情報（紹介情報）を、対応する会員のメールアドレス宛てに送信し（ステップＳ１４）、本処理を終了する。
【００４２】
ここで、電子クーポンは、注文を行った会員（以下、紹介者という）と当該会員が紹介した他の会員（以下、被紹介者という）との両方に対し、所定の特典を付与することを示すものである。特典内容は特に問わず、例えば、次回注文時に値引きや送料を無料にすることや、サービスポイントを付加する等としてもよい。なお、紹介者と被紹介者とに付与する特典は同一内容としてもよいし、異なる内容としてもよい。また、被紹介者が、既会員か新規会員かに応じて付与する特典内容を切り替えてもよい。さらに、紹介者が注文した商品や支払金額に応じて、発行する電子クーポンの特典内容を切り替える形態としてもよい。
【００４３】
また、適用条件は、特典を付与（享受）するための条件であって、被紹介者に係る所定の条件が設定される。適用条件は特に問わず、例えば、被紹介者が会員の新規登録を行ったことや、被紹介者が商品の注文を行ったことを条件としてもよい。また他の例としては、注文の確定が特定の日時までに行われたことや、被紹介者の住所が特定のエリアに含まれることを条件としてもよい。なお、適用条件とする特定の日時は、配送便管理ファイル２７３に記憶された特定の配送便の配送日時（締切時刻）を設定してもよい。また、適用条件とする特定のエリアは、配送便の配送先や配送経路に応じたエリアを設定してもよい。
【００４４】
ここで、図９は、紹介情報の一例を示す図である。同図に示すように、紹介情報Ａ２には、紹介者及び被紹介者に付与する特典の内容（１０００ポイントをプレゼント）が含まれる。また、電子クーポンのクーポンＩＤ（Ｃ００１）や、特典の付加するための適用条件（注文日時の有効期限、エリア限定）等が含まれる。
【００４５】
紹介者が操作する顧客端末１０では、ネットスーパーサーバ６から紹介情報を受信すると、この紹介情報を図示しない表示部に表示し、操作入力を待機する。そして、紹介者は、紹介情報に含まれた適用条件に基づき、友人等の被紹介者に向けてクーポンＩＤ等を通知する。なお、被紹介者への通知方法は特に問わず、電子メール等の電気通信手段を用いてもよいし、電話や紙媒体等を用いてもよい。
【００４６】
クーポンＩＤ等の通知を受けた被紹介者は、自己の顧客端末１０を用いて、ネットスーパーサーバ６へアクセスし、自己の会員ＩＤと通知されたクーポンＩＤを入力する。なお、被紹介者が非会員の場合には、クーポンＩＤの入力時に会員の登録（新規登録）を行うものとする。
【００４７】
次に、ネットスーパーサーバ６が実行する第２情報処理について説明する。図１０は、ネットスーパーサーバ６が実行する第２情報処理の流れを示すフローチャートである。なお、本処理は、上述した商品の注文受け付け動作（ネットスーパーサービス）のバックグラウンドで行われるものである。
【００４８】
まず、制御部２１は、被紹介者が操作する顧客端末１０からクーポンＩＤが入力されるまで待機する（ステップＳ２１；Ｎｏ）。ここで、被紹介者か否かは、アクセス時に入力された会員コードが、クーポンＩＤに関連付けられた紹介者の会員コードと相違するか否かに基づき判別を行うものとする。
【００４９】
クーポンＩＤが入力されると（ステップＳ２１；Ｙｅｓ）、制御部２１は、クーポンＩＤを入力した被紹介者が、既会員か新規会員かを判別する（ステップＳ２２）。ここで、既会員か新規会員かの判別は、例えば、被紹介者の会員ＩＤが、会員管理ファイル２７１に登録された日時や、自装置にアクセスした回数に基づき判別することができる。
【００５０】
続いて、制御部２１は、被紹介者の注文が確定するまで待機する（ステップＳ２３；Ｎｏ）。商品の注文が確定すると（ステップＳ２３；Ｙｅｓ）、制御部２１は、ステップＳ２１で入力されたクーポンＩＤに関連付けられた適用条件を会員管理ファイル２７１から読み出す（ステップＳ２４）。次いで、制御部２１（判定手段２１４）は、本取引の被紹介者の係る条件が、ステップＳ２４で読み出した適用条件を充足するか否かを判定する（ステップＳ２５）。
【００５１】
ここで、例えば、適用条件が商品の注文が確定した日時を限定するものである場合、制御部２１（判定手段２１４）は、現在の日時が有効期限の範囲内にあるか否かを判定する。そして、制御部２１（判定手段２１４）は、現在の日時が有効期限の範囲内にある場合に、適用条件を満たすと判定する。また、適用条件がエリアを限定するものである場合、制御部２１（判定手段２１４）は、会員管理ファイル２７１に登録された被紹介者の住所が、当該エリアに含まれるか否かを判定する。そして、制御部２１（判定手段２１４）は、被紹介者の住所が当該エリアに含まれる場合に、適用条件を満たすと判定する。
【００５２】
適用条件を充足すると判定した場合（ステップＳ２５；Ｙｅｓ）、制御部２１（特典付与手段２１５）は、入力されたクーポンＩＤに対応する会員ＩＤ（紹介者）を会員管理ファイル２７１から特定する（ステップＳ２６）。そして、制御部２１（特典付与手段２１５）は、特定した紹介者と注文を行った被紹介者との両者に、クーポンＩＤに応じた特典を付与し（ステップＳ２７）、本処理を終了する。なお、ステップＳ２７の特典付与の際には、ステップＳ２２の判別結果を用いて付与する特典を切り替えてもよい。
【００５３】
一方、適用条件を充足しないと判定した場合（ステップＳ２５；Ｎｏ）、制御部２１（特典付与手段２１５）は、特典の付与を行わずに本処理を終了する。
【００５４】
以上のように、本実施形態によれば、ネットスーパーを利用した会員を紹介者とし、被紹介者とともに特典の付与対象としたことを示す紹介情報を紹介者に送信する。これにより、紹介者に被紹介者の勧誘を促すことができるため、新規会員の登録促進やネットスーパーの利用促進を図ることができる。
【００５５】
また、特典付与の適用条件として、注文確定の有効期限や、被紹介者の居住エリアを限定することができる。これにより、配送便の配送条件に適合する会員の利用促進を図ることができるため、配送便の稼働率や配送効率を向上させることができる。
【００５６】
以上、本発明の実施形態を説明したが、この実施形態は、例として提示したものであり、発明の範囲を限定することは意図していない。本発明の実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【００５７】
例えば、上記実施形態では、商品の注文が確定したことを適用条件としたが、これに限らず、会員の新規登録等を適用条件とした場合には、注文が未確定の状態でも適用条件の充足判定を行う形態としてもよい。
【００５８】
また、上記実施形態では、紹介者及び被紹介者のそれぞれに特典を付与する形態としたが、これに限らず、紹介者及び被紹介者の一方に特典を付与する形態としてもよい。
【００５９】
また、上記実施形態の各装置で実行されるプログラムは、ＲＯＭ等に予め組み込んで提供するように構成してもよい。また、上記プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されてもよい。
【００６０】
また、上記プログラムを、インターネット等のネットワークに接続されたコンピュータ上に格納し、ネットワーク経由でダウンロードさせることにより提供するように構成してもよい。また、上記プログラムをインターネット等のネットワーク経由で提供又は配布するように構成してもよい。
【符号の説明】
【００６１】
１  販売システム
２  ＰＯＳ端末
４  店舗サーバ
６  ネットスーパーサーバ
７  ＰＯＳシステム
９  本部サーバ
１０  顧客端末
２１  制御部
２１１  発行手段
２１２  管理手段
２１３  送信手段
２１４  判定手段
２１５  特典付与手段
２２  バス
２３  通信インタフェース
２４  Ｉ／Ｏ機器制御部
２５  操作入力部
２６  表示部
２７  記憶部
２７１  会員管理ファイル
２７２  注文管理ファイル
２７３  配送便管理ファイル
【先行技術文献】
【特許文献】
【００６２】
【特許文献１】特許４９３７２８４号公報
【図１】
0005878901.tif 000002
【図２】
0005878901.tif 000003
【図３】
0005878901.tif 000004
【図４】
0005878901.tif 000005
【図５】
0005878901.tif 000006
【図６】
0005878901.tif 000007
【図７】
0005878901.tif 000008
【図８】
0005878901.tif 000009
【図９】
0005878901.tif 000010
【図１０】
0005878901.tif 000011